(57)【要約】【課題】単純な構造で且つ手入れを行い易い米櫃付きの精米器を提供する。【解決手段】駆動機構２を有する本体３と、この本体３に対し着脱可能な精米手段４とを有する精米器１において、前記本体３の上部に、米収納部５と計量器たる引き出し６からなる米櫃７を設け、前記精米手段４が、上方が開口した糠容器８と、この糠容器８内に設けられる精米籠９と、この精米籠９内で回転可能に設けられる精米体１０と、前記糠容器８の開口を覆う蓋体１１とを有し、この蓋体１１に、前記引き出し６と精米籠９とを連通する連通口７６を設けたから、前記精米器１を単純な構造にすることができるばかりでなく、糠等で汚れ易い前記精米手段４を容易に手入れすることができる。【選択図】図１
2015226874.tif 000002
【特許請求の範囲】
【請求項１】
駆動機構を有する本体と、この本体に対し着脱可能な精米手段とを有する精米器において、
前記本体の上部に、米収納部と計量器からなる米櫃を設け、前記精米手段が、上方が開口した糠容器と、この糠容器内に設けられる精米籠と、この精米籠内で回転可能に設けられる精米体と、前記糠容器の開口を覆う蓋体とを有し、この蓋体に、前記計量器と前記精米籠とを連通する連通口を設けたことを特徴とする精米器。
【請求項２】
前記連通口の下開口部を横向きに開口させる屈曲部を設けたことを特徴とする請求項１記載の精米器。
【請求項３】
前記屈曲部が、平面視で前記連通口を覆うことを特徴とする請求項２記載の精米器。
【請求項４】
前記下開口部が、前記精米籠の中央に向かって開口することを特徴とする請求項２又は３記載の精米器。
【請求項５】
前記屈曲部の上面が、前記精米籠の中央に向かって低くなるように形成されることを特徴とする請求項４記載の精米器。
【発明の詳細な説明】
【技術分野】
【０００１】
本発明は、米櫃を有する精米器に関する。
【背景技術】
【０００２】
従来、この種の精米器として、底部に計量器を備えた米櫃と、その下方に設置され多数の小孔が形成された除糠部と開閉自在の精米排出開口を備える精米ホッパーと、その底部で水平方向に回転して米を撹拌する羽根部材を備え、米櫃に貯蔵した米を計量して精米ホッパーに投入し、羽根部材を回転させてその米を精米するものが知られている（例えば特許文献１）。
【０００３】
なお、計量器を備えた米櫃としては、上面に着脱可能な蓋部を備え、正面下部に上下二つの引出開口部を備えた箱体と、前記箱体の内部かつ前記引出開口部の上方に収容されて米を貯留し、下端に流出口を有するホッパーと、前記上側の引き出し開口部に挿入される計量引き出しと、前記下側の引き出し開口部に挿入される米受け引き出しとを備え、前記計量引き出しには、その前進位置にて前記流出口の真下に位置が合致する、上下に開放された計量升部と、その後退位置にて前記流出口を閉塞する閉塞面とを形成するとともに、前記計量引き出しが前記前進位置にある時には前記計量升部の底部を閉塞し、前記計量引き出しが後退位置にある時には前記計量升部の底部を前記米受け引き出しの真上で開放する隔絶手段を設けたものが知られている（例えば特許文献２）。
【先行技術文献】
【特許文献】
【０００４】
【特許文献１】特許第３６５６４９８号公報
【特許文献２】特開２００９−２５４６０６号公報
【発明の概要】
【発明が解決しようとする課題】
【０００５】
上記特許文献１の精米器では、精米ホッパーから精米された米を出すための機構や、糠を集めるための機構等の構造が複雑になるという問題があった。また、糠容器の糠を精米排出開口から吸引して排出するようにしているが、糠が油分を含むため、糠容器に糠の一部が付着して残る虞があった。そして、糠容器は函体内に固定して設けられているため、手入れを容易に行うことができないという問題もあった。
【０００６】
上記特許文献２の米櫃は、計量引き出しが後退位置にある時に、計量升部の上下が開放するので、単に従来の精米器と組み合わせただけでは、攪拌された米が計量升部から漏れ出してしまう虞があった。
【０００７】
本発明は以上の問題点を解決し、単純な構造で且つ手入れを行い易い米櫃付きの精米器を提供することを目的とする。
【課題を解決するための手段】
【０００８】
本発明の請求項１に記載の精米器は、駆動機構を有する本体と、この本体に対し着脱可能な精米手段とを有する精米器において、前記本体の上部に、米収納部と計量器からなる米櫃を設け、前記精米手段が、上方が開口した糠容器と、この糠容器内に設けられる精米籠と、この精米籠内で回転可能に設けられる精米体と、前記糠容器の開口を覆う蓋体とを有し、この蓋体に、前記計量器と前記精米籠とを連通する連通口を設けたことを特徴とする。
【０００９】
また、本発明の請求項２に記載の精米器は、請求項１において、前記連通口の下開口部を横向きに開口させる屈曲部を設けたことを特徴とする。
【００１０】
更に、本発明の請求項３に記載の精米器は、請求項２において、前記屈曲部が、平面視で前記連通口を覆うことを特徴とする。
【００１１】
更に、本発明の請求項４に記載の精米器は、請求項２又は３において、前記下開口部が、前記精米籠の中央に向かって開口することを特徴とする。
【００１２】
しかも、本発明の請求項５に記載の精米器は、請求項４において、前記屈曲部の上面が、前記精米籠の中央に向かって低くなるように形成されることを特徴とする。
【発明の効果】
【００１３】
本発明の請求項１に記載の精米器は、以上のように構成することにより、単純な構造にすることができるばかりでなく、糠等で汚れ易い精米手段を容易に手入れすることができる。
【００１４】
なお、前記連通口の下端に、下開口部を横向きに開口させる屈曲部を設けたことで、前記精米籠内で攪拌される米が前記連通口から前記精米手段の外に漏れ出すのを、前記屈曲部によって抑制することができる。
【００１５】
また、前記屈曲部が、平面視で前記連通口を覆うようにすることにより、米が前記連通口から前記精米手段の外に漏れ出すのを、より確実に抑制することができる。
【００１６】
また、前記屈曲部が、前記精米籠の中央に向かって開口することにより、遠心力により前記精米籠内の外周側に寄った米が前記連通口から前記精米手段の外に漏れ出すのを、より確実に抑制することができる。
【００１７】
更に、前記屈曲部の上面が、前記精米籠の中央に向かって低くなるように形成されることにより、前記精米籠内で米が偏らないようにすることができる。
【図面の簡単な説明】
【００１８】
【図１】本発明の実施例１を示す精米器の正面図である。
【図２】同、把持部を前後方向に向けた状態の斜視図である。
【図３】同、精米手段を回した状態の斜視図である。
【図４】同、下ケース周りの分解斜視図である。
【図５】同、中ケース周りの分解斜視図である。
【図６】同、精米手段の分解斜視図である。
【図７】同、米収納部の分解斜視図である。
【図８】同、下ケースの断面図である。
【図９】同、引き出しを押し込んだ状態の要部の断面図である。
【図１０】同、引き出しを引き出した状態の要部の断面図である。
【図１１】同、引き出しの平面図である。
【図１２】同、精米手段の平面図である。
【図１３】同、要部の平断面図であり、把持部を前後方向に合わせた状態を示す。
【図１４】同、要部の平断面図であり、精米手段を一側方向に所定角度回動した状態を示す。
【発明を実施するための形態】
【００１９】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２０】
以下、本発明の実施例１について、図１〜図１４に基づいて説明する。なお、本実施例においては、図１の姿勢を基準として前後及び上下を規定し、図８〜図１０の左側を前、右側を後とする。
【００２１】
１は本発明の精米器である。この精米器１は、駆動機構２を有する本体３と、この本体３に対し着脱可能な精米手段４とを備え、前記本体３の上部に、米収納部５と計量器たる引き出し６からなる米櫃７を設けている。また、前記精米手段４は、上方が開口した糠容器８と、この糠容器８内に着脱可能に設けられる精米籠９と、この精米籠９内で回転可能に設けられる精米体１０と、前記糠容器８の上部開口を覆う蓋体１１とを有する。
【００２２】
前記本体３は、合成樹脂からなり、下ケース１２の上部に中ケース１３を一体に設け、この中ケース１３の上部に、前記米収納部５の収納ケース１５が着脱可能に設けられる。
【００２３】
前記下ケース１２は、上外殻体２１とこの上外殻体２１の底部を塞ぐ下外殻体２２とを有する。前記下ケース１２の上外殻体２１は、平面略Ｕ字状の内側面部２３と、この内側面部２３との間に間隔を置いて配置した平面略Ｕ字状の外側面部２４と、それら内側面部２３と外側面部２４の前側を連結する左右の前面部２５，２５と、前記外側面部２４の左右下部を連結する前面中央部２６と、この前面中央部２６の上縁と内側面部２３とを連結する水平方向の底面部２７と、上面部２７Ａとを備え、この上面部２７Ａは内側面部２３，外側面部２４及び左右の前面部２５，２５間の上部開口を塞ぐように設けられている。なお、前記底面部２７と内側面部２３により収納部２８を構成し、この収納部２８に前記精米手段４が前方から着脱自在に装着される。
【００２４】
前記左，右前面部２５，２５の一方である右前面部には、取付孔２９が形成され、この取付孔２９に操作部３０が取り付けられる。
【００２５】
また、前記底面部２７の略中央には、貫通孔３１を穿設し、この貫通孔３１に略筒状のホルダー３２を固定し、このホルダー３２上に前記糠容器８の下部が着脱自在に連結される。即ち、前記ホルダー３２に複数のバヨネット用溝３２Ａが形成され、前記糠容器８に複数のバヨネット用突起８Ｆが形成され、これらのバヨネット用突起８Ｆとバヨネット用溝３２Ａとがバヨネット結合することによって、前記精米手段４は、前記ホルダー３２に対し着脱可能に取り付けられる。
【００２６】
前記下ケース１２の内部には、前記駆動機構２が収容される。この駆動機構２は、金属製のフレーム３４と、前記フレーム３４の後部に取り付けられる電動機３６と、前記ホルダー３２の中心に位置する一次従動軸３７と、前記フレーム３４を貫通して下方に延びる前記電動機３６の回転軸に取り付けられる小プーリ３８と、前記ホルダー３２を貫通して下方に延びる前記一次従動軸３７の下端に取り付けられる大プーリ３９と、これらの小プーリ３８と大プーリ３９との間に掛け渡される無端状の駆動ベルト４０と、前記ホルダー３２を貫通して上方に延びる前記一次従動軸３７の上端に取り付けられる一次接続部４１とを有して構成される。
【００２７】
前記フレーム３４にはベアリングケース３５が設けられる。そして、このベアリングケース３５を覆うように、前記ホルダー３２が設けられる。そして、前記ベアリングケース３５の中央上部には、ベアリング４２が嵌入固定されると共に、前記フレーム３４における前記ベアリングケース３５で覆われる部位に、別のベアリング４３が嵌入固定される。これらの上下一対のベアリング４２，４３により、前記底面部２７を貫通する前記一次従動軸３７は、その中心軸が垂直方向となるように回動自在に軸支される。また、前記一次接続部４１の上端は、前記ホルダー３２から前記収納部２８内に露出する。
【００２８】
また、前記下外殻体２２には複数のボス部４４を立設し、これらボス部４４に、ビス４５及びナット４５Ａを用いて、前記フレーム３４を固定する。更に、前記下外殻体２２の底部には、複数の脚取付部４６が形成され、これらの脚取付部４６に、それぞれゴム脚４７が取り付けられる。
【００２９】
前記精米手段４の外側には、米から取り除かれる糠を受けるための前記糠容器８が設けられている。この糠容器８は、上部開口を有し、ほぼ有底円筒状に形成される。前記糠容器８の底面部８Ａの中央には、前記ホルダー３２を挿入する貫通孔８Ｂが形成されると共に、この貫通孔８Ｂから上方に延びて前記一次接続部４１と後述する二次接続部４８の外周を覆うように、筒状部８Ｃが形成される。また、前記糠容器８は、前記底面部８Ａの周囲から立ち上がる断面円形の周面部８Ｄを一体に有し、この周面部８Ｄには、縦方向の把持部４９が設けられる。この把持部４９は略コ字型をなし、上下が前記周面部８Ｄに固定される。
【００３０】
そして、上方開口を有する前記糠容器８には、米を収容するための前記精米籠９が着脱自在に挿入される。この精米籠９は、網状部９Ａと、この網状部９Ａの下部に固定された底部材９Ｂと、前記網状部９Ａの上部に固定された上縁部材９Ｃとを有して構成される。また、前記底部材９Ｂの中央には、上方に突出した軸受筒部５１が設けられる。
【００３１】
また、前記底部材９Ｂの下部には、前記精米籠９を前記糠容器８に対して位置決めすると共に、取り除かれた糠等が前記貫通孔８Ｂから前記下ケース１２内に侵入するのを防ぐための、短円筒状に形成された筒状部９Ｄが設けられる。そして、前記軸受筒部５１を貫通して、二次従動軸５２が、その中心軸が垂直となるように、前記軸受筒部５１に対して回動自在に軸支される。更に、前記二次従動軸５２の上端には、断面が角丸の正六角形となる係合軸部５２Ａが取り付けられると共に、前記二次従動軸５２の下端には、前記一次接続部４１に対応して前記二次接続部４８が取り付けられる。そして、前記一次接続部４１と二次接続部４８とで、前記一次従動軸３７の回転を前記二次従動軸５２に伝達するカップリング５３が構成される。
【００３２】
前記精米籠９内の二次従動軸５２の係合軸部５２Ａには、前記精米籠９内の米を撹拌する前記精米体１０が着脱自在に取り付けられる。この精米体１０は、前記係合軸部５２Ａに係合した状態では、前記精米籠９の内部に位置する。そして、前記精米体１０は、前記係合軸部５２Ａに係合した状態で、この係合軸部５２Ａ、ひいては前記二次従動軸５２と同軸となる軸体５６と、この軸体５６の下部からこの軸体５６の軸方向に対して放射方向に突出して設けられた一対の撹拌部としての棒状体５７とで構成される。なお、前記係合軸部５２Ａに対応して、断面が正六角形となる係合孔部５６Ａが前記軸体５６に形成されることで、この軸体５６は、前記係合軸部５２Ａ、ひいては前記二次従動軸５２に対して回り止めされた状態で係合される。また、前記棒状体５７は、ステンレス鋼等によって円柱状に形成される。
【００３３】
更に、前記糠容器８の上方開口には、前記蓋体１１が着脱自在に設けられている。そして、前記糠容器８，前記精米籠９，前記精米体１０及び前記蓋体１１により、前記精米手段４が構成される。
【００３４】
なお、本実施例の精米器１では、最小精米量は約０．１８Ｌ（１合）、最大精米量は約０．５４Ｌ（３合）である。
【００３５】
前記蓋体１１は、平面略円形をなす蓋本体６２の周囲に、前記糠容器８の上縁部８Ｅに当接する縁部６３を設け、この縁部６３の下部に低い筒部６４を設けている。この筒部６４の外周に複数のバヨネット用突起６５を設け、このバヨネット用突起６５に対応して、前記上縁部８Ｅの内周にバヨネット用溝６６を形成し、前記バヨネット用突起６５が前記バヨネット用溝６６にバヨネット結合する。
【００３６】
また、前記蓋体１１の上部には、直径方向の把持部６２Ａが形成されており、この把持部６２Ａを使って、前記蓋体１１を持ったり回したりすることができる。この場合、前記蓋体１１を一側方向である時計回り方向に回すことにより、前記蓋体１１を前記糠容器８に対してバヨネット結合することができる。一方、前記蓋体１１を他側方向である反時計回り方向に回すことにより、前記蓋体１１と前記糠容器８のバヨネット結合を解除することができる。
【００３７】
前記蓋体１１の前側には、連通筒部６７を立設している。この連通筒部６７は、平面視で円弧状をなし、円弧状の外周面６８と、円弧状の内周面６９と、これら外周面６８と内周面６９の端部を連結して閉塞する直径方向の端面部７０，７０とを有する。それら外周面６８と内周面６９は蓋体１１の中心に対して略同心円状に形成され、前記外周面６８は上側に向かって内向きの湾曲面に形成される。
【００３８】
また、前記連通筒部６７の上部には、前記蓋体１１の上下を連通する上開口部７１が設けられ、この上開口部７１の周方向一側は閉塞部７２により部分的に閉塞されている。なお、図１２等に示すように、上開口部７１は、前記蓋体１１の中心に対して略同心円状に形成されている。また、前記蓋体１１の中心は、前記精米手段４の中心であって、且つ前記精米籠９の中心である。
【００３９】
また、図８等の断面図に示すように、前記上開口部７１の前縁から下方に向かって前壁部７３が垂設される。この前壁部７３は、下方に向かって内側に向くように傾斜する。なお、この前壁部７３の垂直に対する角度は、例えば１〜１０度程度である。また、前記前壁部７３の下縁には、傾斜壁部７４を設ける。なお、この傾斜壁部７４の垂直に対する角度は、例えば５０〜８０度程度である。そして、前記前壁部７３に対して屈曲した前記傾斜壁部７４により、屈曲部を構成している。
【００４０】
そして、前記傾斜壁部７４の下縁７４Ｆは、前記内周面６９の下縁６９Ｆの下方に位置し、前記傾斜壁部７４の下縁７４Ｆと前記内周面６９の下縁６９Ｆとの間に、横向きに開口する下開口部７５が設けられる。そして、前記上開口部７１と下開口部７５との間が連通口７６となる。
【００４１】
また、前記下開口部７５は、前記精米籠９の中央側に向き、更に、前記下開口部７５の下縁である前記傾斜壁部７４の下縁７４Ｆは、前記内周面６９と同様に、平面円弧状をなす。そして、前記傾斜壁部７４の下縁７４Ｆは、前記内周面６９の平面円弧状をなす下縁６９Ｆの直下又はそれよりも内側に位置し、平面視で、前記連通口７６の下開口部７５が前記前壁部７３及び傾斜壁部７４により塞がれる。なお、前記下縁６９Ｆ，７４Ｆは、前記蓋体１１の中心に対して略同心円状に形成される。
【００４２】
図５等に示すように、前記中ケース１３は、平面略Ｕ字状の外カバー８１と、この外カバー８１の下部に収納したガイド体８２とからなり、このガイド体８２の前面部８３が前記外カバー８１の前側下部を塞ぐ。また、前記ガイド体８２の上部を前記引き出し６がスライドし、前記ガイド体８２が前記引き出し６を支持する。
【００４３】
前記ガイド体８２は略有底箱型をなし、その内部に前記引き出し６に設けた計量筒部８５が移動可能な空間部８２Ａを有し、この空間部８２Ａの底部には底面部８２Ｂが設けられる。また、前記ガイド体８２の前記底面部８２Ｂの前側に前記連通口７６に連通する開口部８２Ｃを有する。更に、前記ガイド体８２の前面部８３の下部には、前記連通筒部６７の上部が前後方向において通過可能な開口切欠部８３Ａが設けられる。この開口切欠部８３Ａは、下部が開口している。
【００４４】
なお、図９及び図１０等に示すように、前記前面部８３は上側が下側より外側になるように斜めに形成されている。更に、前記ガイド体８２の後部には、前記引き出し６がスライドする水平方向の後板部８６が設けられ、この後板部８６の後端上面には前記引き出し６が当接するストッパ縁部８７が膨出形成され、このストッパ縁部８７に前記引き出し６の後部が当接することにより、この引き出し６の後方位置が規定される。
【００４５】
前記引き出し６は、略直方体形状のスライド体９１の前部に前面部９２を設け、この前面部９２に取手９３を設け、前記スライド体９１の前後方向の略中央に前記計量筒部８５を設ける。この計量筒部８５の上部開口８５Ａは、前記スライド体９１の上面部９１Ａに位置し、左右方向に長い長円形状をなし、前記計量筒部８５の下部が前記スライド体９１の下部から下方に突設する。前記計量筒部８５の左右幅は、前記上面部９１Ａの部分より前記計量筒部８５の下端の部分が幅狭となるように形成される。なお、前記スライド体９１は、前記上面部９１Ａと後面部９１Ｂと左右の側面部９１Ｃ，９１Ｃを有し、下部が開口し、内部に前後方向と縦方向のリブ部９１Ｒ，９１Ｒを設けて計量化が図られる。
【００４６】
また、計量筒部８５の前後幅は略一定であり、その計量筒部８５の下部に閉塞部９４を設け、この閉塞部９４により前記計量筒部８５の下部を部分的に閉塞し、図９〜図１１に示すように、前記計量筒部８５の下端前側に前記上開口部７１より小さい筒下開口部９５を形成する。また、図９及び図１０等に示すように、前記閉塞部９４は斜めに形成され、前記計量筒部８５の下端縁前側と、前記閉塞部９４の後下縁９４Ｆと、前記閉塞部９４の左，右下縁部９４Ｌ，９４Ｒにより、前記筒下開口部９５が形成される。この筒下開口部９５は、前記上開口部７１より小さい円弧状に形成される。なお、前記把持部４９が正面を向いた姿勢で前記収納部２８に前記精米手段４を配置した状態で、且つ前記引き出し６を引き出した状態で、平面視で前記筒下開口部９５は、前記上開口部７１の範囲内に位置する。
【００４７】
そして、前記筒下開口部９５が、円弧方向及び半径方向とも前記上開口部７１より小さいから、前記精米手段４を時計回りに所定角度回動させても、前記筒下開口部９５は上開口部７１の範囲にある。
【００４８】
前記スライド体９１に、前記計量筒部８５に連通する平面略方形の連通凹部９６が設けられる。この連通凹部９６の下部は、底面部９６Ａにより閉塞される。そして、前記連通凹部９６には、計量調節体９７が位置変更可能に設けられる。具体的には、調整手段として、前記連通凹部９６の内側面９６Ｂ，９６Ｂ又は前記計量調節体９７の側面の一方に、凹状係合部たる縦方向の係合溝９８を、前後に間隔を置いて複数設けると共に、他方に凸状係合部たる係合突条９９を設ける。この例では、前記内側面９６Ｂ，９６Ｂにそれぞれ二つの前記係合溝９８を設け、前記計量調節体９７の側面に前記係合突条９９を設ける。また、前記内側面９６Ｂ，９６Ｂの間隔と、前記計量調節体９７の左右幅とが対応し、前記内側面９６Ｂ，９６Ｂ間に前記計量調節体９７を挿入することができる。
【００４９】
そして、前方の前記係合溝９８に前記係合突条９９を合わせると、前記計量調節体９７の後面９７Ａが前記計量筒部８５の内面に位置合わせされる（図１１）。この際の前記計量筒部８５内の体積が、米の基準計量値である。これに対して、前記後面９７Ａ側が前記計量筒部８５内に突出するように、前記計量調節体９７を後退させて、後方の前記係合溝９８に前記係合突条９９を合わせると、前記計量調節体９７の計量筒部８５内に突出した後側の体積分だけ、米の体積が減る。
【００５０】
従って、基準計量値より少ない量の米を計測することができる。例えば、一例として、前記計量調節体９７が前位置にある状態の前記基準計測値を０．２Ｌとする。この０．２Ｌという数値は、玄米を計測する場合の基準値である。即ち、前記米収納部５の収納ケース１５に玄米を収納し、この収納ケース１５から玄米を０．２Ｌ計測し、前記精米手段４を用いて玄米から糠を除去して白米にする。この際、約０．０２Ｌ分の糠が玄米から除去されて、精米後の米の量が０．１８Ｌ（１合）程度となる。即ち、上述の基準測定値は、精米後に０．１８Ｌ（１合）になるのを見越した値である。一方、前記計量調節体９７が後位置にある状態の計測値を０．１８Ｌとする。この０．１８Ｌという数値は、古くなって表面が酸化した白米（以下、古米と記す）を計測する場合の値である。即ち、前記米収納部５の収納ケース１５に古米を収納し、この収納ケース１５から古米を０．１８Ｌ計測し、前記精米手段４を用いて古米の表面酸化層を削り落とす。古米からは既に糠が取り除かれており、削り落とされる酸化層も僅かであるから、基準測定値よりも少量の０．１８Ｌ（１合）を計測することにより、玄米を精米した場合とほぼ同量の精米が得られる。なお、精米後の白米の表面を磨く場合は、玄米を精米する場合よりも、前記精米手段４を作動させる時間が短い。
【００５１】
前記外カバー８１内の上部に仕切板１０１を設けると共に、この仕切板１０１にスライド体用開口部１０２を設ける。このスライド体用開口部１０２は、前側が開口する。そして、前記仕切板１０１は、後仕切板部１０１Ａと、左右の仕切板部１０１Ｂ，１０１Ｂとからなる。また、前記スライド体用開口部１０２は、前記スライド体９１が上下方向から挿通可能な大きさを有する。
【００５２】
そして、前記下ケース１２の上面部２７Ａに、ビス等の固定手段１０３により前記ガイド体８２を固定し、このガイド体８２を覆うように、ビス等の固定手段１０４により、前記外カバー８１を前記ガイド体８２に固定する。
【００５３】
次に、前記引き出し６の計量筒部８５を、前記ガイド体８２の空間部８２Ａの上方に合わせ、上方から前記スライド体９１を前記スライド体用開口部１０２に通し、前記スライド体９１を前記ガイド体８２の上に載置して配置する。この状態で、前記スライド体９１の上面部９１Ａが、前記仕切板１０１の下面よりも僅かに下となる。この後、前記仕切板１０１の上に中間体１１１を位置固定することにより、前記引き出し６の上方への抜け止めがなされる。なお、前記スライド体９１の上面部９１Ａの後部には、ストッパ縁部１０５が膨出形成され、このストッパ縁部１０５が前記中間体１１１の後述する筒部１１７Ａの後部に当接することにより、引き出し６の前方への抜け出しが防止される。
【００５４】
また、前記外カバー８１は、前記仕切板１０１よりも上方にカバー上部８１Ａを有する。このカバー上部８１Ａは、後側が高く、その上縁となる湾曲縁部８１Ｂが、閉成状態の前記引き出し６の前面部９２の上縁に連続するように形成される。なお、前記カバー上部８１Ａは、平面略円弧状に形成される。
【００５５】
前記中間体１１１は、平板状の本体１１１Ａの後部に後方に向かって高くなる傾斜部１１１Ｂを設け、前記本体１１１Ａの周囲に立ち上り部１１１Ｃを設け、この立ち上り部１１１Ｃの上端に縁部１１１Ｄを周設する。そして、この縁部１１１Ｄに対応して、前記仕切板１０１のスライド体用開口部１０２の縁に、縁受部１０２Ａを凹設し、この縁受部１０２Ａに前記縁部１１１Ｄが係入し、前記スライド体用開口部１０２に対して前記中間体１１１が位置決めされる。この状態で、前記本体１１１Ａは前記スライド体９１の上面部９１Ａに非接触状態で近接する。この場合、前記本体１１１Ａは、前記スライド体用開口部１０２より下方に位置する。
【００５６】
また、前記本体１１１Ａには、前記計量筒部８５に対応して、中間体開口部１１２が形成される。更に、前記本体１１１Ａの前側には、左右方向に間隔を置いて配置した複数の前後方向リブ部１１３，１１３…と、これら前後方向リブ部１１３，１１３…を連結する左右方向リブ部１１４，１１４が設けられる。そして、前記前後方向リブ部１１３，１１３…の上縁と、少なくとも一つの左右方向リブ部１１４の上縁の高さが、前記縁部１１１Ｄの上面と略同一に形成される。
【００５７】
前記米収納部５は、前記収納ケース１５と、この収納ケース１５の上部開口を着脱自在に開閉する収納ケース蓋１１５とを備える。前記収納ケース１５は、略円筒状をなす。このケース下部１５Ａは、下方に向かって僅かに縮小する。そして、このケース下部１５Ａは、前記外カバー８１の上部に着脱可能に載置される。
【００５８】
また、前記収納ケース１５の下部開口は、底板部１１６により塞がれており、この底板部１１６の中央に、前記計量筒部８５及び中間体開口部１１２に連通する収納ケース開口部１１７が設けられる。そして、この収納ケース開口部１１７には、前記中間体開口部１１２に貫入する筒部１１７Ａが下方に突設して形成される。また、前記底板部１１６は、中央の前記収納ケース開口部１１７側が外側より低くなるように傾斜する。
【００５９】
更に、図９及び図１０等に示すように、前記収納ケース１５の底板部１１６の下面側には、放射方向に形成されたリブ部１１８，１１８…が周方向に間隔を置いて複数設けられる。そして、前記仕切板１０１と前記中間体１１１の縁部１１１Ｄと前記前後方向リブ部１１３，１１３…の上縁及び前記左右方向リブ部１１４の上縁は、同一平面上で且つ略水平であり、前記リブ部１１８の下縁も同一平面上で且つ略水平である。このため、前記リブ部１１８は、前記仕切板１０１と前記縁部１１１Ｄと前記前後方向リブ部１１３，１１３…及び前記左右方向リブ部１１４に載置される。
【００６０】
前記収納ケース蓋１１５は、周囲に前記収納ケース１５の上部に外装する外縁部１１５Ａを垂設し、その中央に直径方向の把持部１１５Ｂが形成される。
【００６１】
また、前記収納ケース１５の前側には、縦方向の透視窓部１２１が設けられ、前記収納ケース１５内の米の量を確認することができる。
【００６２】
また、図１３及び図１４に示すように、前記本体３は、スイッチ１２２を備える。そして、前記下ケース１２の内側面部２３に、凹部１２３が形成される。この凹部１２３は、湾曲状の壁部１２３Ａを有し、この壁部１２３Ａの一側に開口部１２４が設けられると共に、この開口部１２４の一側に覆い部１２５が設けられる。前記スイッチ１２２は、前記開口部１２４に近接して配置され、前記覆い部１２５の内側に前記スイッチ１２２の作動片１２２Ａを配置する。一方、前記蓋体１１の外周前側には、操作部１２６が突設される。この操作部１２６が前記開口部１２４に係入し、前記作動片１２２Ａを押してスイッチ１２２をオンにする。
【００６３】
具体的には、図２及び図１３に示すように、前記把持部４９が正面を向くよう、前記精米手段４を前記収納部２８に収納し、前記一次接続部４１と二次接続部４８を接続すると共に、前記ホルダー３２上に前記精米手段４を載置する。ここから、図３に示すように、前記精米手段４を左側に回すと、前記糠容器８のバヨネット用突起８Ｆが前記ホルダー３２のバヨネット用溝３２Ａとバヨネット結合することで、前記精米手段４が前記本体３に取り付けられると共に、図１３に示すように、前記操作部１２６が前記作動片１２２Ａを押して、前記スイッチ１２２をオンにする。そして、前記スイッチ１２２がオンの条件で前記精米器１を駆動するように構成することにより、前記精米手段４を正しく装着しないと、前記精米器１が駆動しないので、製品の安全性を向上させることができる。
【００６４】
図４，図９及び図１０に示すように、前記下ケース１２の上面部２７Ａの後側には、支持部１３１が突設される。この支持部１３１は、左右方向の左右リブ部１３１Ａに、前後方向の前後リブ部１３１Ｂを交差状に配置してなる。そして、前記支持部１３１により、前記ガイド体８２の後板部８６が支持される。
【００６５】
また、図５に示すように、左右の前記仕切板部１０１Ｂ，１０１Ｂの前側及び前記後仕切板部１０１Ａの左右方向中央には、取付ネジ１３２が突設される。この取付ネジ１３２は全ネジであり、前記外カバー８１にインサート成形された固定ナット８１Ｃに螺合させた後、締付ナット１３２Ａで締め付けることで、前記外カバー８１に固定される。また、図９及び図１０に示すように、前記取付ネジ１３２に対応して、前記収納ケース１５の底板部１１６に複数の取付孔１３３が穿設される。そして、前記取付ネジ１３２を、対応する前記取付孔１３３に挿通した後、前記取付ネジ１３２の上端に手回しナット１３４を螺合させることにより、前記中ケース１３に前記収納ケース１５を着脱可能に取り付けることができる。
【００６６】
次に、上記構成の作用について説明する。まず使用者は、前記収納ケース蓋１１５を外し、上部から所定量の米を収納ケース１５内に投入する。なお、本例では、前記収納ケース１５に収容される米の定格量は、重さ約５ｋｇ、体積約６Ｌ（約３升３合）である。このように、前記米収納部５に米を収納すると、前記計量筒部８５内に、この計量筒部８５の体積の米が落下する。なお、この計量筒部８５によって量られる米の体積は、上述の通りである。また、前記引き出し６を閉めた状態では、前記計量筒部８５の筒下開口部９５は、前記ガイド体８２の上面により塞がれる。このため、前記計量筒部８５内の米は落下しない。
【００６７】
そして、前記ホルダー３２に前記精米手段４を取り付け、図３及び図１３に示したように、前記把持部４９を用いて前記精米手段４を一側方向である時計回り方向に回すことにより、前記各バヨネット用突起８Ｆと対応するバヨネット用溝３２Ａとがバヨネット結合して、前記精米手段４が前記ホルダー３２に取り付けられると共に、前記操作部１２６が作動片１２２Ａを押してスイッチ１２２をオンにする。
【００６８】
その際、前記一次接続部４１は、前記ホルダー３２から上方が露出すると共に、前記筒状部９Ｄが外嵌状態で前記ホルダー３２に位置決めされる。また、前記筒状部８Ｃが前記筒状部９Ｄの外側を覆う。
【００６９】
また、上述したように、前記把持部４９を用いて、前記精米手段４を時計回りに所定角度回動させて前記スイッチ１２２をオンにすることで、電源を投入して前記精米手段４を作動させることができるようになる。
【００７０】
このようにして、前記精米手段４を前記本体３の収納部２８に装着した後、米の計量を行い、更に、計量された米を前記精米手段４の精米籠９へ投入する。米の計量及び米の投入は、前記引き出し６を引き出すことにより行うことができる。これについて説明する。図９に示すように、前記引き出し６が押し込まれた状態では、前記計量筒部８５の上部開口８５Ａが前記収納ケース開口部１１７に位置合わせされて連通するので、前記収納ケース１５内の米（図示せず）が、前記計量筒部８５内に落下供給される。なお、前記計量筒部８５の筒下開口部９５は、前記ガイド体８２の底面部８２Ｂにより塞がれるので、前記計量筒部８５内の米は、前記筒下開口部９５から落下しない。
【００７１】
押し込まれた状態の前記引き出し６を手前に引くと、前記計量筒部８５が前方に移動することにより、この計量筒部８５の上部開口８５Ａが前記収納ケース開口部１１７と非連通状態となる。そして、前記引き出し６を更に手前に引くことにより、図１０に示すように、前記計量筒部８５の筒下開口部９５が前記連通口７６の上開口部７１に連通する。これによって、前記計量筒部８５内の米が、前記連通口７６を通って前記精米籠９内に落下する。なお、前記引き出し６の出し入れをＮ回行うことにより、前記基準測定値のＮ倍となる量の米を、前記精米籠９内に投入することができる。また、図１０に示すように、前記引き出し６は、前側の前記計量筒部８５が前記ガイド体８２の底面部８２Ｂにより支持され、後側が前記ガイド体８２の後板部８６により支持される。
【００７２】
前記連通口７６に落下した米は、前記傾斜壁部７４に案内されて、前記精米籠９内で斜め下向きに落下する。なお、図１２乃至図１４に示すように、前記傾斜壁部７４が前記二次従動軸５２を中心とした平面円弧状をなすため、前記連通口７６に落下した米は、前記精米籠９内において、前記二次従動軸５２に向かって、即ち前記精米籠９の中央に向かって落下する。なお、前記前壁部７３が斜めに形成され且つ前記二次従動軸５２を中心とした平面円弧状をなすため、前記連通口７６に落下した米は、前記傾斜壁部７４に向けてスムーズに案内される。
【００７３】
このように、前記精米籠９の中央部に米が落下することで、精米開始時に米の偏りがなく、均一な精米処理を行うことができる。
【００７４】
なお、前記精米手段４の把持部４９が正面を向いた姿勢であっても、即ち、前記精米手段４が前記ホルダー３２に対しバヨネット結合されていない状態であっても、前記引き出し６を引き出せば、前記筒下開口部９５は、平面視で前記上開口部７１の範囲内に位置する。従って、前記精米手段４が前記収納部２８の正規位置に設置されていれば、固定されているか否かに拘わらず、米を前記精米籠９内に投入することができる。
【００７５】
次に、前記精米籠９に収容された米の量や目標精米度に基づいて前記操作部３０を操作することで、前記電動機３６の制御パラメータが変更される。詳述すると、米の量の多少及び目標精米度によって、前記電動機３６、即ち前記精米体１０の回転数が、図示しない制御回路によって制御される。即ち、前記制御回路は、米の量が多いほど前記精米体１０の回転数が高く、米の量が少ないほど前記精米体１０の回転数が低くなるように、前記電動機３６の回転数を制御する（２０００〜３０００回転／分）。また、前記制御回路は、目標精米度が高いほど前記精米体１０の駆動時間が長く、目標精米度が低いほど前記精米体１０の駆動時間が短くなるように、前記電動機３６の駆動時間を制御する。なお、このような回転数や駆動時間は、米の量と精米度を指定することによって、算出されるか、或いはデータテーブルから読み出される。
【００７６】
このようにして、精米量や目標精米度を考慮した前記電動機３６の制御パラメータを算出した或いは読み込んだ後、前記操作部３０を操作すると、前記制御回路からの制御信号により駆動回路を介して電動機３６が駆動される。そして、前記電動機３６の駆動力は、前記小プーリ３８から駆動ベルト４０、大プーリ３９、一次従動軸３７、カップリング５３、及び二次従動軸５２を経て、前記精米体１０を回転させる。なお、前記精米体１０は、前記電動機３６の回転数に対して、前記小プーリ３８と大プーリ３９の半径の比によって決まる減速比で減速されて回転する。そして、前記精米体１０を回転させることで、前記精米籠９内の米が攪拌されると共に前記精米体１０の回転に連れ回ることで、米の粒同士が擦れ合い、又は米の粒と前記精米籠９とが擦れ合い、これによって米は精米される。なお、米の粒は、前記精米籠９内において、円柱状の前記棒状体５７をスムーズに乗り越えるように、或いは円柱状の前記棒状体５７をスムーズにくぐり抜けるように動く。このため、米が必要以上に激しく動かないので、摩擦や衝突による米の温度上昇を低く抑えることができる。そして、米の温度上昇が抑えられることで、米の水分の減少量を低く抑え、砕米の発生を低く抑えることができるばかりでなく、熱による酸化も抑えられるので、食味の劣化も抑えることができる。また、前記棒状体５７が比較的太い円柱状であり、回転方向前端が鈍いため、前記棒状体５７が米の粒に衝突した際に、この米の粒の局所に衝撃が集中しないので、砕米の発生を低く抑えることができる。
【００７７】
前記精米手段４は、前記連通口７６から前記精米籠９内に米を落下供給する構成を採用したが、前記下開口部７５が横向きで、且つ前記傾斜壁部７４が平面視で連通口７６を覆うように設けられているため、精米時に前記精米籠９内の米が攪拌されると共に前記精米体１０の回転に連れ回っても、米が前記連通口７６から外部に漏れるのを抑制することができる。更に、前記下開口部７５は前記精米籠９の中央側に向かって低くなるように形成されているため、精米中の遠心力により前記精米籠９内の外周側に寄った米が前記連通口７６から前記精米手段４の外部に漏れるのを抑制できる。特に、前記傾斜壁部７４が前記二次従動軸５２、即ち前記精米籠９の中心に向かって傾斜した平面円弧状であるため、米が外部に漏れることを防止できる。また、図９及び図１０に示すように、前記下開口部７５は、前記精米籠９の中央付近に位置し、平面視において、前記精米体１０の軸体５６の先端に近接した位置で開口する。
【００７８】
米から擦り取られた糠は、前記精米籠９の網状部９Ａから排出され、前記糠容器８内に貯められる。そして、前記糠容器８の底面部８Ａに設けられた前記筒状部８Ｃが、前記精米籠９の筒状部９Ｄの外側及び前記ホルダー３２の上部外側を覆うように装着されることで、糠等が前記貫通孔８Ｂから前記本体３内に侵入するのが防止される。
【００７９】
そして、精米が終了したら、前記精米手段４を他側方向である反時計回りに所定角度回動させて、前記把持部４９を正面に向け、前記収納部２８から取り外す。次に、前記蓋体１１を反時計回りに所定角度回動させてバヨネット結合を解除し、前記糠容器８から取り外した後、前記精米籠９及び精米体１０を取り外す。そして、前記精米籠９から、精米された米を取り出す。また、前記糠容器８から、その内部に溜まった糠を取り出す。
【００８０】
このように、前記本体３から前記精米手段４を取り外すことができるため、油分を含む糠等により汚れ易い前記精米手段４を、容易に手入れすることができる。
【００８１】
再度、精米を行うには、前記精米手段４の分解とは逆の手順で、前記糠容器８に精米籠９，精米体１０を装着し、前記糠容器８の上部開口を前記蓋体１１により塞いで前記精米手段４を組み立てる。そして、組み立てられた前記精米手段４を、上述の手順で前記本体３の収納部２８に再び取り付ける。
【００８２】
なお、前記引き出し６を引き出すことで、前記計量調節体９７の位置を調節することができる。前記収納ケース１５内に玄米を収納する場合、即ち、玄米を精米して白米を得る場合、前記計量調節体９７を前方に移動させ、前記計量筒部８５から前記後面９７Ａが突出していない状態とすればよい。一方、前記収納ケース１５内に白米を収納する場合、即ち、白米を磨く場合、前記計量調節体９７を後方に移動させ、前記計量筒部８５から前記後面９７Ａが突出した状態とすればよい。
【００８３】
更に、前記引き出し６は、前記計量筒部８５内を玄米が通過することにより、糠の油分等によって汚れる。汚れを洗浄するために、前記引き出し６を取り外すことができる。これについて、具体的に説明する。まず、前記収納ケース１５の内部に米がない状態で、前記取付ネジ１３２から前記手回しナット１３４を取り外す。そして、前記外カバー８１の仕切板１０１及び前記中間体１１１上に載置されていた前記収納ケース１５を持ち上げるようにして取り外す。これによって、前記中間体１１１が露出する。この場合、前記縁受部１０２Ａに前記縁部１１１Ｄが係入して、前記スライド体用開口部１０２に対して前記中間体１１１が位置決めされている。なお、前記中間体１１１は、前記外カバー８１に載っているだけであるから、前記中間体１１１を持ち上げるようにして前記スライド体用開口部１０２から前記中間体１１１を取り外すことができる。そして、前記スライド体用開口部１０２は、前記スライド体９１が上下方向から挿通可能な大きさを有するから、前記スライド体９１を持ち上げることで、前記スライド体用開口部１０２を通して外部に外すことができる。
【００８４】
前記引き出し６の洗浄が終わったら、逆の手順で、この引き出し６を前記ガイド体８２の上に載置し、前記スライド体用開口部１０２に前記中間体１１１を取り付け、この中間体１１１と前記仕切板１０１の上に前記収納ケース１５を載置し、前記取付ネジ１３２の上端に前記手回しナット１３４を螺合させる。この後、前記収納ケース１５に米を入れる。
【００８５】
なお、前記中間体１１１の前側では、前記収納ケース１５と米の重量が、前記収納ケース１５のリブ部１１８から前記中間体１１１のリブ部１１３，１１４に加わり、更に、前記スライド体用開口部１０２の左右の縁から前記下ケース１２へと加わる。この場合、前記中間体１１１の前側は、その左右が前記スライド体用開口部１０２の左右の縁に支えられているが、前記前後方向リブ部１１３，１１３…と、これら前後方向リブ部１１３，１１３…を連結する左右方向リブ部１１４，１１４が設けられているため、略格子状のリブ構造により、強度的に優れ、撓み難い。このため、前記中間体１１１は、前記引き出し６の上部と所定の隙間を保持して配置される。
【００８６】
また、前記中間体１１１の左右及び後側では、前記収納ケース１５と米の重量が、前記収納ケース１５のリブ部１１８の下縁が当接する外カバー８１の後仕切板部１０１Ａ及び前記中間体１１１の縁部１１１Ｄに直接加わり、前記外カバー８１から前記下ケース１２へと加わる。この場合、中間体１１１の左右及び後側の三方の縁部１１１Ｄが、前記スライド体用開口部１０２の縁受部１０２Ａに載置されているから、前記中間体１１１の左右及び後側に荷重を受けても変形し難い。このため、前記中間体１１１の左右及び後側も前記引き出し６の上部と所定の隙間を保持して配置される。
【００８７】
このように、前記引き出し６の上部を、前記スライド体用開口部１０２によって開放可能とすることにより、前記引き出し６の取り外しが容易で、且つ、前記スライド体用開口部１０２に、前記米収納部５の重量を支える前記中間体１１１を設けることにより、前記引き出し６のスライドを安定して行うことができる。
【００８８】
以上のように本発明は、駆動機構２を有する本体３と、この本体３に対し着脱可能な精米手段４とを有する精米器１において、前記本体３の上部に、米収納部５と計量器たる引き出し６からなる米櫃７を設け、前記精米手段４が、上方が開口した糠容器８と、この糠容器８内に設けられる精米籠９と、この精米籠９内で回転可能に設けられる精米体１０と、前記糠容器８の開口を覆う蓋体１１とを有し、この蓋体１１に、前記引き出し６と精米籠９とを連通する連通口７６を設けたから、前記精米器１を単純な構造にすることができるばかりでなく、糠等で汚れ易い前記精米手段４を容易に手入れすることができるものである。
【００８９】
なお、前記連通口７６の下開口部７５を横向きに開口させる屈曲部たる傾斜壁部７４を設けたから、前記精米籠９内で攪拌される米が前記連通口７６から前記精米手段４の外に漏れ出すのを、前記傾斜壁部７４によって抑制することができる。
【００９０】
また、屈曲部たる前記傾斜壁部７４が、平面視で前記連通口７６を覆うから、米が前記連通口７６から前記精米手段４の外に漏れ出すのを、より確実に抑制することができる。
【００９１】
また、前記下開口部７５が、前記精米籠９の中央に向かって開口するから、遠心力により前記精米籠９内の外周側に寄った米が前記連通口７６から前記精米手段４の外に漏れ出すのを、より確実に抑制することができる。
【００９２】
更に、屈曲部たる前記傾斜壁部７４の上面が、前記精米籠９の中央に向かって低くなるように形成されているから、米が前記精米籠９の中央に向かって落下するので、前記精米籠９内で米が偏らないようにすることができる。
【００９３】
また、実施例上の効果として、前記引き出し６をスライド可能に支持する前記ガイド体８２を備えるから、前記引き出し６の出し入れをスムーズに行うことができる。更に、前記ガイド体８２は中空形状であるから、計量化が図られる。また、前記閉塞部９４は前側が低くなるように斜めに形成されているから、前記引き出し６の前方移動の際、前記底面部８２Ｂに接する米をスムーズに前方に案内することができる。更に、前記筒下開口部９５が円弧方向及び半径方向とも前記上開口部７１より小さいから、前記精米手段４を前記ホルダー３２にバヨネット結合させる範囲内で所定角度回動させても、前記筒下開口部９５は前記上開口部７１の範囲にある。このため、前記計量筒部８５内の米を確実に前記連通口７６へと落下させることができる。また、前記スライド体９１に前記計量調節体９７を設けたから、前記計量筒部８５内部の容量を調節して供給する米の量を調節できる。更に、前記外カバー８１が、前記仕切板１０１より上部にカバー上部８１Ａを有し、このカバー上部８１Ａ内に前記収納ケース１５の下部が嵌るため、前記収納ケース１５を前記外カバー８１に安定して載置することができる。また、前記取付ネジ１３２と取付孔１３３と手回しナット１３４により、前記中ケース１３に収納ケース１５を着脱可能に取り付けることができる。また、前記取付ネジ１３２を全ネジとし、前記外カバー８１にインサート成形された前記固定ナット８１Ｃに螺合させた後、前記締付ナット１３２Ａで締め付けて前記外カバー８１に固定することで、前記収納ケース１５を前記中ケースに着脱する際、前記収納ケースから微量の米粒がこぼれ、前記中ケース１３に米粒が落下した場合であっても、前記中ケース１３に設けられたビス孔には、既に前記取付ネジ１３２の全ネジが取付けられているため、米粒が侵入する虞がない。従って、前記中ケース１３に前記収納ケース１５を装着する際、前記取付孔１３３に米粒が侵入しているかを気にすることなく、良好に前記収納ケース１５を前記中ケース１３に装着することができる。
【００９４】
なお、本発明は以上の実施例に限定されるものではなく、発明の要旨の範囲内で種々の変形実施が可能である。例えば、上記実施例では、精米手段は、糠容器を露出させたが、外容器内に糠容器を収納してもよい。また、計量器は各種タイプのものを用いることできる。更に、上記実施例では、円弧状の連通口を示したが、角形や長円形等でもよい。また、上記実施例では、家庭用の精米器を例に説明したが、業務用の精米器にも適用可能である。
【符号の説明】
【００９５】
１  精米器
２  駆動機構
３  本体
４  精米手段
５  米収納部
６  引き出し（計量器）
７  米櫃
８  糠容器
９  精米籠
１０  精米体
１１  蓋体
７４  傾斜壁部（屈曲部）
７５  下開口部（屈曲部）
７６  連通口
【図１】
2015226874.tif 000003
【図２】
2015226874.tif 000004
【図３】
2015226874.tif 000005
【図４】
2015226874.tif 000006
【図５】
2015226874.tif 000007
【図６】
2015226874.tif 000008
【図７】
2015226874.tif 000009
【図８】
2015226874.tif 000010
【図９】
2015226874.tif 000011
【図１０】
2015226874.tif 000012
【図１１】
2015226874.tif 000013
【図１２】
2015226874.tif 000014
【図１３】
2015226874.tif 000015
【図１４】
2015226874.tif 000016